【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
着色剤と樹脂とを有するトナー材料を脂肪酸モノエステルを有する第１の液の中で粉砕する湿式粉砕工程と、
前記湿式粉砕工程で得られた液と、脂肪酸トリグリセリドを有する第２の液とを混合する混合工程と、を有することを特徴とする液体現像剤の製造方法。
【請求項２】
前記第１の液の粘度は、０．５〜６０ｍＰａ・ｓである請求項１に記載の液体現像剤の製造方法。
【請求項３】
前記第２の液の粘度は、３０〜５００ｍＰａ・ｓである請求項１または２に記載の液体現像剤の製造方法。
【請求項４】
前記第１の液は分散剤を有する請求項１ないし３のいずれか１項に記載の液体現像剤の製造方法。
【請求項５】
前記脂肪酸モノエステルは、不飽和脂肪酸アルキルエステルである請求項１ないし４のいずれか１項に記載の液体現像剤の製造方法。
【請求項６】
前記不飽和脂肪酸アルキルエステルは、オレイン酸メチルである請求項５に記載の液体現像剤の製造方法。
【請求項７】
前記脂肪酸トリグリセリドは、不飽和脂肪酸トリグリセリドを有する請求項１ないし６のいずれか１項に記載の液体現像剤の製造方法。
【請求項８】
前記樹脂材料は、エポキシ樹脂、ポリエステル樹脂のうち、少なくとも一方を有するものである請求項１ないし７のいずれか１項に記載の液体現像剤の製造方法。
【請求項９】
着色剤と樹脂とを有するトナー材料を脂肪酸モノエステルを有する第１の液の中で粉砕する湿式粉砕工程と、前記湿式粉砕工程で得られた液と、脂肪酸トリグリセリドを有する第２の液とを混合する混合工程と、により製造されたことを特徴とする液体現像剤。
【請求項１０】
着色剤と樹脂とを有するトナー材料を脂肪酸モノエステルを有する第１の液の中で粉砕する湿式粉砕工程、前記湿式粉砕工程で得られた液と、脂肪酸トリグリセリドで構成された第２の液とを混合する混合工程により製造された液体現像剤および金属製の塗布ローラを有することを特徴とする現像装置。
【請求項１１】
着色剤と樹脂とを有するトナー材料を脂肪酸モノエステルを有する第１の液の中で粉砕する湿式粉砕工程、前記湿式粉砕工程で得られた液および脂肪酸トリグリセリドを有する第２の液を混合する混合工程により製造された液体現像剤および金属製の塗布ローラを有する現像装置と、
前記現像装置により現像された像を転写する転写装置と、
前記転写装置により転写された転写材を加熱定着する定着装置と、
を有することを特徴とする画像形成装置。
【手続補正２】
【補正対象書類名】明細書
【補正対象項目名】発明の名称
【補正方法】変更
【補正の内容】
【発明の名称】液体現像剤の製造方法、液体現像剤、現像装置および画像形成装置
【手続補正３】
【補正対象書類名】明細書
【補正対象項目名】０００１
【補正方法】変更
【補正の内容】
【０００１】
本発明は、液体現像剤の製造方法、液体現像剤、現像装置および画像形成装置に関するものである。
【手続補正４】
【補正対象書類名】明細書
【補正対象項目名】０００７
【補正方法】変更
【補正の内容】
【０００７】
本発明の目的は、十分に小さい大きさのトナー粒子が安定して分散した液体現像剤を提供すること、また、このような液体現像剤を効率良く製造することが可能な液体現像剤の製造方法を提供すること、また、そのような液体現像剤を用いた現像装置および画像形成装置を提供することにある。
【手続補正５】
【補正対象書類名】明細書
【補正対象項目名】０００８
【補正方法】変更
【補正の内容】
【０００８】
このような目的は、下記の本発明により達成される。
本発明の液体現像剤の製造方法は、着色剤と樹脂とを有するトナー材料を脂肪酸モノエステルを有する第１の液の中で粉砕する湿式粉砕工程と、
前記湿式粉砕工程で得られた液と、脂肪酸トリグリセリドを有する第２の液とを混合する混合工程と、を有することを特徴とする。
これにより、十分に小さい大きさのトナー粒子が安定して分散した液体現像剤を効率良く製造することができる。
【手続補正６】
【補正対象書類名】明細書
【補正対象項目名】０００９
【補正方法】変更
【補正の内容】
【０００９】
本発明の液体現像剤の製造方法では、前記第１の液の粘度は、０．５〜６０ｍＰａ・ｓであることが好ましい。
これにより、十分に小さい粒径のトナー粒子をより効率良く得ることができる。
本発明の液体現像剤の製造方法では、前記第２の液の粘度は、３０〜５００ｍＰａ・ｓであることが好ましい。
これにより、絶縁性液体（液体現像剤）の粘度をより容易に好適なものとするとともに、トナー粒子の分散性をより高いものとすることができる。
【手続補正７】
【補正対象書類名】明細書
【補正対象項目名】００１０
【補正方法】変更
【補正の内容】
【００１０】
本発明の液体現像剤の製造方法では、前記第１の液は分散剤を有することが好ましい。
これにより、分散剤が粉砕助剤として働き、十分に小さい粒径のトナー粒子をより効率良く得ることができるとともに、得られるトナー粒子の分散性をより高いものとすることができる。
【手続補正８】
【補正対象書類名】明細書
【補正対象項目名】００１１
【補正方法】変更
【補正の内容】
【００１１】
本発明の液体現像剤の製造方法では、前記脂肪酸モノエステルは、不飽和脂肪酸アルキルエステルであることが好ましい。
これにより、粉砕効率がさらに向上し、小さい粒径のトナー粒子をより効率良く形成することができる。
本発明の液体現像剤の製造方法では、前記不飽和脂肪酸アルキルエステルは、オレイン酸メチルであることが好ましい。
これにより、粉砕効率がさらに向上し、小さい粒径のトナー粒子をより効率良く形成することができる。
【手続補正９】
【補正対象書類名】明細書
【補正対象項目名】００１２
【補正方法】変更
【補正の内容】
【００１２】
本発明の液体現像剤の製造方法では、前記脂肪酸トリグリセリドは、不飽和脂肪酸トリグリセリドを有することが好ましい。
これにより、トナー粒子の分散性をさらに高いものとすることができる。
本発明の液体現像剤の製造方法では、前記樹脂材料は、エポキシ樹脂、ポリエステル樹脂のうち、少なくとも一方を有するものであることが好ましい。
これにより、十分に小さい粒径のトナー粒子をより効率良く得ることができるとともに、液体現像剤中におけるトナー粒子の分散性をより高いものとすることができる。
本発明の液体現像剤は、着色剤と樹脂とを有するトナー材料を脂肪酸モノエステルを有する第１の液の中で粉砕する湿式粉砕工程と、前記湿式粉砕工程で得られた液と、脂肪酸トリグリセリドを有する第２の液とを混合する混合工程と、により製造されたことを特徴とする。
これにより、十分に小さい大きさのトナー粒子が安定して分散した液体現像剤を提供することができる。
本発明の現像装置は、着色剤と樹脂とを有するトナー材料を脂肪酸モノエステルを有する第１の液の中で粉砕する湿式粉砕工程、前記湿式粉砕工程で得られた液と、脂肪酸トリグリセリドで構成された第２の液とを混合する混合工程により製造された液体現像剤および金属製の塗布ローラを有することを特徴とする。
本発明の画像形成装置は、着色剤と樹脂とを有するトナー材料を脂肪酸モノエステルを有する第１の液の中で粉砕する湿式粉砕工程、前記湿式粉砕工程で得られた液および脂肪酸トリグリセリドを有する第２の液を混合する混合工程により製造された液体現像剤および金属製の塗布ローラを有する現像装置と、
前記現像装置により現像された像を転写する転写装置と、
前記転写装置により転写された転写材を加熱定着する定着装置と、
を有することを特徴とする。
【手続補正１０】
【補正対象書類名】明細書
【補正対象項目名】００１３
【補正方法】変更
【補正の内容】
【００１３】
以下、本発明の液体現像剤の製造方法、液体現像剤、現像装置および画像形成装置の好適な実施形態について、詳細に説明する。
本発明の液体現像剤は、トナー粒子が絶縁性液体中に分散したものである。
絶縁性液体は、主として脂肪酸モノエステルで構成された第１の液体と、主として脂肪酸トリグリセリドで構成された第２の液体とを含むものである。
以下、本発明の液体現像剤の製造方法について詳細に説明する。
本発明の液体現像剤の製造方法は、第１の液体中において、主として樹脂材料で構成されたトナー材料を粉砕し、粉砕物分散液を得る粉砕工程と、粉砕物分散液と第２の液体とを混合する混合工程とを有する。